(57)【要約】【課題】表示装置の誤作動を防止する表示用モジュールを提供することを課題とする。【解決手段】映像表示用のデータ信号を２つの出力端ＯＵＴ１，ＯＵＴ２から出力し、且つ各出力端におけるデータ信号の位相が１／２異なるので、発生するスイッチング電流の総電流量を出力端ごとに分割すると共に、分割されたスイッチング電流ＩＡ，ＩＢの発生を時間的に分散することができる。【選択図】図１
2009157265.tif 000002
【特許請求の範囲】
【請求項１】
表示領域を複数の領域に区分する複数の信号線に接続された複数の信号線駆動回路からなる複数の信号線駆動回路群と、
前記複数の信号線駆動回路群に、夫々各出力端で位相が異なる映像表示用のデータ信号及びこのデータ信号に関連するクロック信号を複数の出力端から出力するコントローラと、
を有することを特徴とする表示用モジュール。
【請求項２】
前記コントローラは、各出力端で１／２位相が異なる前記データ信号及びクロック信号を前記複数の出力端から出力することを特徴とする請求項１に記載の表示用モジュール。
【請求項３】
前記信号線駆動回路群は、夫々前記表示領域の左側及び右側を分担することを特徴とする請求項１又は２に記載の表示用モジュール。
【請求項４】
前記信号線駆動回路群は、夫々奇数及び偶数の前記複数の信号線駆動回路１つおきの信号線駆動回路であることを特徴とする請求項１又は２に記載の表示用モジュール。
【発明の詳細な説明】
【技術分野】
【０００１】
本発明は、映像を表示するデータ信号を扱う表示用モジュールの技術に関する。
【背景技術】
【０００２】
図５は、従来の表示装置を構成する表示用基板の概略構成を模式的に示した模式図である。従来の表示用基板上には、互いに交差する複数の走査線２１と複数の信号線２２とで形成された表示領域２と、複数の走査線２１に接続された複数の走査線駆動回路３ａ〜３ｄと、複数の信号線２２に接続された複数の信号線駆動回路１２ａ〜１２ｄと、映像を表示するデータ信号を信号線駆動回路１２ａ〜１２ｄに出力すると共に表示するタイミングを走査する走査信号を走査線駆動回路３ａ〜３ｄに出力するコントローラ１３と、信号線駆動回路１２ａ〜１２ｄやコントローラ１３等に電源電圧を供給する電源回路４とが形成されている。
【０００３】
走査線２１と信号線２２との交差部には画素電極２４が形成され、この画素電極２４はスイッチ素子２３を介して信号線２２に接続されている。そして、そのスイッチ素子２３は、走査線駆動回路３ａ〜３ｄから走査線２１に出力される走査信号に応じて動作し、該スイッチ素子２３がオンになった場合に、信号線駆動回路１２ａ〜１２ｄから信号線２２に出力された映像データが画素電極２４に書き込まれる。これにより、対向電極２６との間に封入された液晶２５の液晶分子の配向が変化し、図示しないバックライトから出射された光の透過率に応じて映像が表示される。
【０００４】
ここで、上述した従来の表示用基板を構成する回路のうち、映像を表示するデータ信号を扱うコントローラ１３及び信号線駆動回路１２ａ〜１２ｄの表示用モジュール１について説明する。従来の表示用モジュール１は、同図に示すように、１つのコントローラ１３と複数の信号線駆動回路１２ａ〜１２ｄとをデータバス１４で接続し、コントローラ１３の１つの出力端ＯＵＴから全ての信号線駆動回路１２ａ〜１２ｄにデータ信号を送信するものであった。即ち、論理的には、信号線駆動回路の数に応じたＮ本（Ｎは整数）のデータバスが１つの出力端ＯＵＴに接続された構成であった。
【０００５】
図６は、図５に示すコントローラにおける出力部の回路構成を示す回路構成図である。従来のコントローラ１３の出力部１３１は、画像処理回路５から受け取ったデータ信号を受信した後、バッファアンプ１３１２を介して出力端ＯＵＴから出力すると共に、クロック信号についてはバッファアンプ１３１１を介して出力するものであった。また、図７に示すように、入力クロック信号ＣＬＫ及び入力データ信号ＤＡＴＡと、出力クロック信号ＣＬＫ’及び出力データ信号ＤＡＴＡ’の位相関係は同相であった。
【特許文献１】特開２００３−２９５８３６号公報
【発明の開示】
【発明が解決しようとする課題】
【０００６】
しかしながら、前述したようにコントローラの１つの出力端に全ての信号線駆動回路が接続され、各データバスに流れるデータ信号間の位相が揃っているため、データバスのデータ信号が変化するタイミングで、コントローラの内部に形成された出力バッファ及び信号線駆動回路の内部に形成された入力バッファに、信号線駆動回路の入力端に寄生する入力容量及び配線容量に起因するスイッチング電流が発生する。
【０００７】
このスイッチング電流は、データバスの理論上の本数に比例し、その本数が多いほどピーク値の大きな電流となる。また、データ信号の変化が早いため、図８に示すようなスパイク状の波形になる。そして、この電流の変化に応じてテレビやラジオなどの受信時に有害となる電波（以降、「不要輻射ノイズ」と称する）を発射する。この不要輻射ノイズを低減する技術は特許文献１に開示されているが、スパイク状のスイッチング電流の発生により、次に説明する更なる問題が発生する。
【０００８】
まず、このスイッチング電流が電源回路に流れた場合に、電源回路やその周辺の回路の配線で生じるインピーダンスで瞬間的な電圧降下による電源ノイズが発生するという問題がある。
【０００９】
また、このスイッチング電流が電源回路のグランド側に流れた場合には、やはり上記と同様に、電源回路やその周辺の回路の配線で生じるインピーダンスの電圧降下により、瞬間的にグランドの電位が変化するグランドバウンズが発生するという問題がある。
【００１０】
従い、これら電源ノイズ及びグランドバウンズの発生により、電源及びグランドの電位が変化するため、表示装置の誤動作が発生するという問題があった。
【００１１】
本発明は、上記に鑑みてなされたものであり、表示装置の誤作動を防止する表示用モジュールを提供することを課題とする。
【課題を解決するための手段】
【００１２】
請求項１に記載の本発明は、表示領域を複数の領域に区分する複数の信号線に接続された複数の信号線駆動回路からなる複数の信号線駆動回路群と、前記複数の信号線駆動回路群に、夫々各出力端で位相が異なる映像表示用のデータ信号及びこのデータ信号に関連するクロック信号を複数の出力端から出力するコントローラと、を有することを要旨とする。
【００１３】
本発明にあっては、映像表示用のデータ信号を複数の出力端から出力し、且つ各出力端におけるデータ信号の位相が異なるため、発生するスイッチング電流の総電流量を出力端ごとに分割すると共に、分割されたスイッチング電流の発生を時間的に分散することができる。これにより、あるタイミングで発生するスイッチング電流の総電流量を低減するため、電源ノイズ，グランドバウンズ，及び，不要輻射ノイズを低減することができ、表示装置の誤作動を防止することを可能とする。
【００１４】
請求項２に記載の本発明は、前記コントローラが、各出力端で１／２位相が異なる前記データ信号及びクロック信号を前記複数の出力端から出力することを要旨とする。
【００１５】
請求項３に記載の本発明は、前記信号線駆動回路群が、夫々前記表示領域の左側及び右側を分担することを要旨とする。
【００１６】
請求項４に記載の本発明は、前記信号線駆動回路群が、夫々奇数及び偶数の前記複数の信号線駆動回路１つおきの信号線駆動回路であることを要旨とする。
【発明の効果】
【００１７】
本発明によれば、表示装置の誤作動を防止する表示用モジュールを提供することができる。
【発明を実施するための最良の形態】
【００１８】
以下、本実施の形態について図面を用いて説明する。
【００１９】
図１は、本実施の形態に係る表示用モジュールの構成を示す構成図である。本実施の形態に係る表示用モジュール１は、表示領域２を形成する複数の信号線２２に接続された４つの信号線駆動回路１２ａ〜１２ｄと、信号線駆動回路１２ａ〜１２ｄに映像を表示するデータ信号を２つの出力端ＯＵＴ１，ＯＵＴ２から出力するコントローラ１３とを備えた構成である。一方の出力端ＯＵＴ１と２つの信号線駆動回路１２ａ，１２ｂとは、データバス１４ａにより接続されており、他方の出力端ＯＵＴ２と２つの信号線駆動回路１２ｃ，１２ｄとは、データバス１４ｂにより接続されている。
【００２０】
そして、信号線駆動回路１２ａ，１２ｂは、表示領域２の左側を形成する複数の信号線２２に接続されており、信号線駆動回路１２ｃ，１２ｄは、表示領域２の右側を形成する複数の信号線２２に接続されている。
【００２１】
図２は、図１に示すコントローラにおける出力部の回路構成を示す回路構成図である。本実施の形態に係るコントローラ１３の出力部１３１は、入力された入力クロック信号ＣＬＫを、バッファアンプ１３１１を介して出力クロック信号ＡＣＬＫ’として出力すると共に、インバータ１３１３を介して入力クロック信号ＣＬＫを反転した出力クロック信号ＢＣＬＫ’を出力する。
【００２２】
また、出力部１３１は、入力データ信号ＡＤＡＴＡについては、バッファアンプ１３１２を介して出力端ＯＵＴ１から出力データ信号ＡＤＡＴＡ’として出力し、入力データ信号ＢＤＡＴＡについては、この入力データ信号ＢＤＡＴＡと入力クロック信号ＣＬＫとをフリップフロップ１３１４に入力することで、入力データ信号ＢＤＡＴＡに対して１／２位相を遅延させた出力データ信号ＢＤＡＴＡ’を出力端ＯＵＴ２から出力する。
【００２３】
図３は、入力クロック信号及び入力データ信号と、出力クロック信号及び出力データ信号と、スイッチング電流との位相関係を示す関係図である。同図に示すように、入力データ信号ＡＤＡＴＡ及び入力データ信号ＢＤＡＴＡは、入力クロック信号ＣＬＫと同相である。出力部１３１は、入力クロック信号ＣＬＫ及び入力データ信号ＡＤＡＴＡと同じ位相の出力クロック信号ＡＣＬＫ’及び出力データ信号ＡＤＡＴＡ’を出力端ＯＵＴ１から出力する。また、出力部１３１は、インバータ１３１３による入力クロック信号ＣＬＫの反転と、フリップフロップ１３１４による入力データ信号ＢＤＡＴＡに対する１／２位相の遅延とにより、出力クロック信号ＡＣＬＫ’及び出力データ信号ＡＤＡＴＡ’の位相に対して１／２位相の異なる出力クロック信号ＢＣＬＫ’及び出力データ信号ＢＤＡＴＡ’を出力端ＯＵＴ２から出力することを可能としている。
【００２４】
また、図３に示すスイッチング電流ＩＡとは、出力端ＯＵＴ１と出力端ＯＵＴ１に対応する信号線駆動回路１２ａ，１２ｂとで発生するスイッチング電流であり、スイッチング電流ＩＢとは、出力端ＯＵＴ２と出力端ＯＵＴ２に対応する信号線駆動回路１２ｃ，１２ｄとで発生するスイッチング電流である。出力端を２つにすることで、スイッチング電流が発生する位置を表示領域の左側と右側とで分離することができる。即ち、各側でのスイッチング電流のピーク値を従来の表示用モジュールで発生するスイッチング電流のピーク値の約半分にすることを可能とする。そして更に、出力データ信号ＡＤＡＴＡ’の位相に対して出力データ信号ＢＤＡＴＡ’の位相を１／２シフトさせることで、あるタイミングで発生するスイッチング電流を約半分に低減することを可能とする。従い、スイッチング電流に起因する電源ノイズ，グランドバウンズ，及び，不要輻射ノイズを低減することができ、本実施の形態で説明した表示用モジュールを用いることで表示装置の誤作動を防止することを可能とする。
【００２５】
なお、本実施の形態では、出力端ＯＵＴ１，ＯＵＴ２で出力されるデータ信号の位相を１／２異なるデータ信号として説明したが、１／３や１／５など他の位相関係であっても得られる効果は同じである。また、コントローラ１３は、２つ以上の出力端を備えた場合であってもよい。更に、図４に示すように、出力端ＯＵＴ１の接続先を、配列された信号線駆動回路１２ａ〜１２ｄのうち、奇数番の信号線駆動回路１２ａ，１２ｃとし、出力端ＯＵＴ２の接続先を、偶数番の信号線駆動回路１２ｂ，１２ｄとしても同様の効果が得られる。
【００２６】
最後に、本実施の形態で説明した表示用モジュールは、アクティブマトリクス方式の表示装置だけでなく、単純マトリクス方式の表示装置に適用した場合であっても同様の効果を得ることができる。また、表示用基板と対向基板との間に、液晶を用いる代わりに有機ＥＬなどの有機物などを用いることも可能である。
【００２７】
本実施の形態によれば、映像表示用のデータ信号を２つの出力端ＯＵＴ１，ＯＵＴ２から出力し、且つ各出力端におけるデータ信号の位相が１／２異なるので、発生するスイッチング電流の総電流量を出力端ごとに分割すると共に、分割されたスイッチング電流ＩＡ，ＩＢの発生を時間的に分散することができる。これにより、あるタイミングで発生するスイッチング電流の総電流量を約半分に低減するので、電源ノイズ，グランドバウンズ，及び，不要輻射ノイズを低減することができ、表示装置の誤作動を防止することを可能とする。
【図面の簡単な説明】
【００２８】
【図１】本実施の形態に係る表示用モジュールの構成を示す構成図である。
【図２】図１に示すコントローラにおける出力部の回路構成を示す回路構成図である。
【図３】入力クロック信号及び入力データ信号と、出力クロック信号及び出力データ信号と、スイッチング電流との位相関係を示す関係図である。
【図４】本実施の形態に係る表示用モジュールの他の構成を示す構成図である。
【図５】従来の表示装置を構成する表示用基板の概略構成を模式的に示した模式図である。
【図６】図５に示すコントローラにおける出力部の回路構成を示す回路構成図である。
【図７】入力クロック信号及び入力データ信号と、出力クロック信号及び出力データ信号との位相関係を示す関係図である。
【図８】従来の表示用モジュールにおけるスイッチング電流が発生するタイミングを示す図である。
【符号の説明】
【００２９】
ＡＣＬＫ’，ＢＣＬＫ’，ＣＬＫ’…出力クロック信号
ＡＤＡＴＡ，ＢＤＡＴＡ，ＤＡＴＡ…入力データ信号
ＡＤＡＴＡ’，ＢＤＡＴＡ’，ＤＡＴＡ’…出力データ信号
ＣＬＫ…入力クロック信号
Ｉ，ＩＡ，ＩＢ…スイッチング電流
ＯＵＴ，ＯＵＴ１，ＯＵＴ２…出力端
１…表示用モジュール
２…表示領域
３ａ〜３ｄ…走査線駆動回路
４…電源回路
５…画像処理回路
１２ａ〜１２ｄ…信号線駆動回路
１３…コントローラ
１４，１４ａ，１４ｂ…データバス
２１…走査線
２２…信号線
２３…スイッチ素子
２４…画素電極
２５…液晶
２６…対向電極
１３１…出力部
１３１１，１３１２…バッファアンプ
１３１３…インバータ
１３１４…フリップフロップ
【図１】
2009157265.tif 000003
【図２】
2009157265.tif 000004
【図３】
2009157265.tif 000005
【図４】
2009157265.tif 000006
【図５】
2009157265.tif 000007
【図６】
2009157265.tif 000008
【図７】
2009157265.tif 000009
【図８】
2009157265.tif 000010